(57)【要約】  【課題】部品点数を削減するとともに、作業の妨げになることのないコンベヤフレームを提供する。  【解決手段】本発明のコンベヤフレームは、搬送ローラ３を両側から挟むように搬送経路Ｐに沿って設けられ搬送経路９に対して側部側へ延びるフランジ部２０ａ、２０ｂ、２１ａ、２１ｂを有する断面略コ字状の一対の本体フレーム２０、２１を有している。一方の本体フレーム２０に光電管５が配置され、他方の本体フレーム２１に反射板７が配置される。光電管５は、本体フレーム２０のフランジ部２０ａの内側部分に取付用ブラケット５１が直接取り付けられている。このフランジ部２０ａには、光電管５を調整するための調整用孔部２０１が設けられている。【選択図】図２
2005219859.tif 000002
【特許請求の範囲】
【請求項１】
物品搬送用の搬送手段を両側から挟むように搬送経路に沿って設けられ、前記搬送経路に対して側部側へ延びるフランジ部を有する断面略コ字状の一対の本体フレームと、
所定の取付部材を有する光電検出手段とを備え、
前記光電検出手段の取付部材が前記フランジ部の内側部分に直接取り付けられるとともに、当該フランジ部に当該光電検出手段を調整するための孔部が設けられていることを特徴とするコンベヤフレーム。
【発明の詳細な説明】
【技術分野】
【０００１】
本発明は、例えば、ローラコンベヤにおいて搬送ローラを支持するコンベヤフレームに関し、特に、電気機器を取り付けるためのコンベヤフレームに関する。
【背景技術】
【０００２】
従来、物品を搬送経路に沿って搬送する装置として、例えば、図５に示すようなローラコンベヤ１０１が知られている。
このローラコンベヤ１０１は、所定の搬送経路に沿って延びる一対のコンベヤフレーム１０２Ａ、１０２Ｂが、複数の搬送ローラ１０３を両側から回動自在に支持するように構成されている。
【０００３】
コンベヤフレーム１０２Ａ、１０２Ｂは、例えば鋼板に曲げ加工を施すことにより断面略コ字形状に形成され、一方のコンベヤフレーム１０２Ａの側部に複数の光電管１０４が配置され、他方のコンベヤフレームに反射板１０５が配置されている。
【発明の開示】
【発明が解決しようとする課題】
【０００４】
しかしながら、この従来例の場合、コンベヤフレーム１０２Ａ、１０２Ｂの側部に取り付けた支持ブラケット１０６に、光電管１０４、反射板１０５の取付用ブラケット１０７、１０８を取り付けるようにしているので、部品点数が多くなるとともに、それぞれの取付作業が多くなるという問題がある。
【０００５】
また、従来技術においては、支持ブラケット１０６がコンベヤフレーム１０２Ａ、１０２Ｂから突出しているため、引っかかりやすく作業の妨げになるという問題もある。
【０００６】
本発明は、このような従来の技術の課題を解決するためになされたもので、部品点数を削減するとともに、作業の妨げになることのないコンベヤフレームを提供することを目的とする。
【課題を解決するための手段】
【０００７】
上記目的を達成するためになされた請求項１記載の発明は、物品搬送用の搬送手段を両側から挟むように搬送経路に沿って設けられ、前記搬送経路に対して側部側へ延びるフランジ部を有する断面略コ字状の本体フレームと、所定の取付部材を有する光電検出手段とを備え、前記光電検出手段の取付部材が前記フランジ部の内側部分に直接取り付けられるとともに、当該フランジ部に当該光電検出手段を調整するための孔部が設けられていることを特徴とするコンベヤフレームである。
【０００８】
本発明の場合、本体フレームのフランジ部の内側部分に光電検出手段の取付部材が直接取り付けられていることから、従来用いられていた支持ブラケットを使用する必要がなくなり、部品点数の削減及び工数の簡素化が可能になるとともに、コンベヤフレームから突出する部分がなくなるため、作業の妨げになることがなく作業性を向上させることができる。
また、本発明によれば、本体フレームのフランジ部に例えば光電管を調整するための孔部が設けられていることから、光電管をフランジ部の近傍に取り付けた場合であっても、光電管の向きを問わずその調整を行うことが可能になる。
【発明の効果】
【０００９】
本発明によれば、部品点数の削減及び工数の簡素化が可能になるとともに、作業の妨げになることがなく作業性を向上させることができる。
【発明を実施するための最良の形態】
【００１０】
以下、本発明に係るコンベヤフレームの最良の実施の形態を図面を参照して詳細に説明する。  
図１は、本実施の形態のコンベヤフレームを有するローラコンベヤの要部概略構成を示す斜視図、図２は、図１の部分Ａの拡大図である。また、図３は、本実施の形態の要部を示す部分断面図である。
【００１１】
図１に示すように、本実施の形態のローラコンベヤ１は、所定の間隔で搬送経路Ｐに沿って平行に延びる一対の本体フレーム２０、２１からなるコンベヤフレーム２を有している。
【００１２】
各本体フレーム２０、２１は、例えば鋼板に曲げ加工を施すことにより断面略コ字状に一体成形された長尺の部材からなるものである。
【００１３】
そして、各本体フレーム２０、２１の中腹部には、複数の搬送ローラ３が所定の間隔をおいて回動自在に支持されている。
【００１４】
ここで、一方の本体フレーム２０は、それぞれ上下部分に設けられたフランジ部２０ａ、２０ｂを外側、すなわち、搬送経路Ｐに対して側部側へ向けて配置されている。
【００１５】
また、他方の本体フレーム２１は、それぞれ上下部分に設けられたフランジ部２１ａ、２１ｂを外側、すなわち、搬送経路Ｐに対して側部側へ向けて配置されている。
【００１６】
本実施の形態の場合は、一方の本体フレーム２０に設けた複数のセンサ用孔部４の近傍に反射型の光電管（光電検出手段）５が取り付けられるとともに、他方の本体フレーム２１に設けた複数のセンサ用孔部６の近傍に、各光電管５に対応する反射板（光電検出手段）７が取り付けられている。
【００１７】
図３に示すように、本実施の形態の場合、各光電管５は、光電管本体５０に固定された取付用ブラケット（取付部材）５１を、本体フレーム２０の上側のフランジ部２０ａの下面２００にフランジ部２０ａからはみ出さないように例えばネジ止めによって直接取り付けるように構成されている。
【００１８】
これにより、各光電管５は、搬送経路Ｐの高さ位置において、本体フレーム２０の側面２０ｃとフランジ部２０ａの下面２００に近接する位置に配置されている。
【００１９】
そして、本体フレーム２０のセンサ用孔部４を介して光電管５からセンサ光Ｓを反射板７に向って照射するようになっている。
【００２０】
なお、光電管５には配線９が接続され、この配線９は、本体フレーム２０の側部に設けた孔部１０を介して図示しない制御部に接続されている。
【００２１】
一方、本体フレーム２０の上側のフランジ部２０ａには、光電管本体５０と対応する位置に、例えば感度等を調整するための調整用孔部２０１が設けられている。
【００２２】
そして、この調整用孔部２０１を介して例えばドライバ８を用いて光電管５の調整をするようになっている。
【００２３】
他方、図４に示すように、本実施の形態においては、各反射板７が、反射板７に固定された取付用ブラケット（取付部材）７１を、本体フレーム２１の上側のフランジ部２１ａの下面にフランジ部２１ａからはみ出さないように例えばネジ止めによって直接取り付けるように構成されている。
【００２４】
このような構成を有する本実施の形態によれば、本体フレーム２０、２１の上側のフランジ部２０ａの内側部分に光電管５、反射板７の取付用ブラケット５１、７１がそれぞれ直接取り付けられていることから、従来用いられていた支持ブラケットを使用する必要がなくなり、部品点数の削減及び工数の簡素化が可能になるとともに、コンベヤフレーム２から突出する部分がなくなるため、作業の妨げになることがなく作業性を向上させることができる。
【００２５】
また、本実施の形態によれば、一方の本体フレーム２０の上側のフランジ部２０ａに光電管５を調整するための調整用孔部２０１が設けられていることから、光電管５をフランジ部２０ａの近傍に取り付けた場合であっても、光電管５の向きを問わずその調整を行うことができる。
【００２６】
なお、本発明は上述の実施の形態に限られることなく、種々の変更を行うことができる。  
例えば、上述の実施の形態においては、反射型の光電管を用いるようにしたが、本発明はこれに限られず、透過型の光電管を用いることも可能である。
【００２７】
また、本体フレームの調整用孔部の形状、大きさ、位置等については、取り付ける光電検出手段に応じて適宜変更することができる。
【００２８】
さらに、本発明のコンベヤフレームは、ローラコンベヤのみならず、例えば、ベルトコンベヤ、チェーンコンベヤ等の種々のコンベヤに適用することができるものである。
【図面の簡単な説明】
【００２９】
【図１】本発明の実施の形態のコンベヤフレームを有するローラコンベヤの要部概略構成を示す斜視図である。
【図２】図１の部分Ａの拡大図である。
【図３】本実施の形態の要部を示す部分断面図である。
【図４】本実施の形態の要部を示す斜視図である。
【図５】従来技術のローラコンベヤの要部概略構成を示す斜視図である。
【符号の説明】
【００３０】
１…ローラコンベヤ
２…コンベヤフレーム
３…搬送ローラ
４…センサ用孔部
５…光電管（光電検出手段）
６…センサ用孔部
７…反射板（光電検出手段）
２０…本体フレーム
２０ａ、２０ａ…フランジ部
２１…本体フレーム
２１ａ、２１ｂ…フランジ部
５１…取付用ブラケット（取付部材）
７１…取付用ブラケット（取付部材）
２０１…調整用孔部
Ｐ…搬送経路
【図１】
2005219859.tif 000003
【図２】
2005219859.tif 000004
【図３】
2005219859.tif 000005
【図４】
2005219859.tif 000006
【図５】
2005219859.tif 000007